(57)【要約】      （修正有）【課題】ストレッチフィルムの欠点を改善し、積載物を固定するのに作業者一人で短時間に作業が完了できる固定手段を提供する。【解決手段】パレット６上の積載物を覆うように荷崩れ防止ネットを掛け、該ネットをパレットに固定する方法として荷崩れ防止ネットの外周縁に設けた金属ロープ１の重り作用によって行い、少ない積載物、不揃いや不定型な積載物の場合は荷崩れ防止ネットの中間部に設けたロープ２ａ、２ｂの長さを調節することで、ネットの大きさを自在に調節して、積載物と荷崩れ防止ネットをフィットさせる。【選択図】図３
0003135124.tif 000002
【実用新案登録請求の範囲】
【請求項１】
１５００ｍｍ〜１７００ｍｍ×１５００ｍｍ〜１７００ｍｍの四角形の荷崩れ防止ネットで、ネット外周縁にパレット固定用の金属ロープ部材を設けたことを特徴とするパレット積載物の荷崩れ防止ネット。
【請求項２】
前記、請求項１記載の積載物の荷崩れ防止ネットで、ネットの中心からネットの四隅までの各中間点を通り、荷崩れ防止ネットの外周縁と平行となるようにロープ部材を設け、該ロープ部材の長さを調節、係止することでネット上部の大きさを自在に調節できる構造になっている事を特徴とするパレット積載物の荷崩れ防止ネット。
【考案の詳細な説明】
【技術分野】
【０００１】  本考案は荷物運搬用パレット積載物の荷崩れを防止するパレット積載物の荷崩れ防止ネットに関する。
【背景技術】
【０００２】従来、荷物運搬用パレット積載物の荷崩れを防止する手段としては、一般には積載物の周囲にストレッチフィルムを幾重にも巻いて積載物の荷崩れを防止してきた。ストレッチフィルムを幾重にも巻いて固定する方法では、その作業時間が長くかかる事とストレッチフィルムは一度の使い切り使用で再利用できない事とストレッチフィルムの廃棄費用がかかる欠点を持っていた。又、廃棄したストレッチフィルムを焼却処理した場合、多量の炭酸ガスを発生させるため、環境への影響も好ましい状態ではなかった。これらの欠点を改善する事と、積載物を固定するのに作業者一人で短時間に作業が完了できる手段の提供も望まれていた。
【考案の開示】
【考案が解決しようとする課題】
【０００３】  本考案は荷物運搬用のパレット積載物を固定する手段として、ストレッチフィルムに代わる固定手段の提供である。荷崩れ防止ネットのパレットへの固定をネット外周縁に設置した金属ロープの重り作用によって行い、さらには積載物が少量、積載物の大きさが不揃い、形が不定形な場合には荷崩れ防止ネットの大きさを自在に調節して積載物にフィットさせることを作業者一人で短時間にパレットに固定できる手段の提供にある。
【課題を解決するための手段】
【０００４】  上記の課題を解決すべく本考案者らは鋭意検討した結果、上記の課題は次のような手段によって解決できる事がわかった。
即ち、パレットの積載物上部に荷崩れ防止ネット（１５００ｍｍ〜１７００ｍｍ×１５００ｍｍ×１７００ｍｍ）を覆うように掛け、パレット上の積載物を荷崩れ防止ネットで固定する手段として、荷崩れ防止ネットの外周縁に設けた金属ロープを積載物を取り巻くようにパレット上に置く。荷崩れ防止ネットはネットの外周縁に設けた金属ロープの重り作用によってパレット上に固定される。
また、積載物が少量であったり、大きさが不揃い、形が不定形等の場合は、ネットにたるみや余り部分が生じ、作業性に悪影響を及ぼしていた。本考案は荷崩れ防止ネットの中間部にネット外周縁と平行になるように設置したロープの長さを調節しロープ止め具で係止する。つまり、積載物を荷崩れ防止ネットで覆い、積載物を取り巻くように金属ロープをパレット上に置いて荷崩れ防止ネットを固定の後、荷崩れ防止ネットを積載物にフィットするようにネット中間部に設けたロープの長さを調節し、ロープ止め具で係止することで前記課題が解決することがわかった。
【考案の効果】
【０００５】積載物上部に荷崩れ防止ネットを掛け、パレット上の積載物を覆い、荷崩れ防止ネットの外周縁に設けた金属ロープを積載物を取り巻くようにパレット上に置くだけで、金属ロープの重り作用によってパレットに固定される。更に積載物量の変動や積載物の様々な形態に荷崩れ防止ネットを自在に対応させるために荷崩れ防止ネットの中間部にネット外周縁と平行になるように設置したロープの長さを調節し、ロープ止め具で係止し積載物とネットが容易にフィットする態様にすることで、作業者一人でパレット積載物の固定作業が可能となった。
本考案の積載物の荷崩れ防止ネットを用いる事によって、従来から行なってきたストレッチフィルムを幾重にも巻く作業時間の短縮と、ストレッチフィルムの廃棄作業の改善と廃棄費用の削減及びストレッチフィルムの焼却処理による炭酸ガスの排出の削減等に結びつけることが可能となる。
【考案を実施するための最良の形態】
【０００６】作業者一人でパレット上の積載物を固定する場合において、図１の荷崩れ防止ネットを積載物の上に掛け、図３の荷崩れ防止ネット固定用金属ロープ１をパレット上に置いて固定する。積載物をパレットへの固定を容易にするため、金属ロープ１は柔軟性に富み重量が３〜５ｋｇであって、パレット上の積載物を一周するように配置する。次いで、ロープ止め具３を基点にネット調節用ロープ２ａ、２ｂを同時に引っ張り、荷崩れ防止ネットの上部４ａを積載物にフィットさせ、ロープ止め具３で係止する。該作業は積載物が少量の場合や大きさが不揃い、不定形など荷姿に応じて行なうが、作業者一人で短時間で容易に行なうことが出来る。最終的な形態は図３の積載状態となる。
【実施例】
【０００７】以下、本考案を図面を用いて詳細に説明する。
図１は本考案の積載物荷崩れ防止ネットの立面図である。
１が本考案の積載物荷崩れ防止ネット固定用金属ロープであり、２ａ、２ｂは荷崩れ防止ネット調節用ロープで、３はロープ止め具である。２ｃ、２ｄ、２ｅ、２ｆは荷崩れ防止ネットの中心５と荷崩れ防止ネットの四隅の各中間点で、調節用ロープはこの各点を通る態様である。４ａは荷崩れ防止ネット上部で４ｂは荷崩れ防止ネット下部で４ｃ、４ｄ、４ｅ、４ｆは荷崩れ防止ネットの四隅で、５は荷崩れ防止ネットの中心である。【０００８】図２は本考案の積載物荷崩れ防止ネットを積載物が無い状態で、調節用ロープ２ａ、２ｂを引っ張った状態の見取り図である。ネット調節用ロープ止め具３を基点に調節用ロープ２ａ、２ｂを同時に引っ張る事で、荷崩れ防止ネット上部４ａを容易に絞ることが可能である。
図３は積載物を本考案の積載物荷崩れ防止ネットを使用してパレットに固定した見取り図である。
積載物荷崩れ防止ネットは、パレット６に積載した段ボール箱の上から掛け、積載物荷崩れ防止ネット固定用金属ロープ１を積載物を取り巻くようにパレット６上に置くことによって固定される。次いで、ネット調節用ロープ止め具３を基点にネット調節用ロープ２ａ、２ｂを同時に引っ張り荷崩れ防止ネット上部４ａを絞りながら積載物にフィットさせ、ネット調節用止め具３を係止することで積載物の固定が可能となる。又、この作業は作業者一人で短時間で容易に出来る事が大きな特徴である。【０００９】図１から図３の本考案の積載物荷崩れ防止ネットの材質と寸法について以下に説明する。荷崩れ防止ネット固定用金属ロープ１の材質はナイロン、ポリエステル、アクリル繊維等に鉛を配置し２〜４ｍｍの直径の鉛ロープを３〜５本に束ねる。束ねた鉛ロープをナイロン、ポリエステル、アクリル繊維等を織って９〜１５ｍｍの太さの直径にして、長さは６０００〜６８００ｍｍで重量は３〜５ｋｇの金属ロープが好ましい態様である。
２のネット調節用ロープの材質はナイロン、ポリエステル、アクリル繊維、ポリプロピレン等が好ましく、５〜１３ｍｍの直径で、長さが３５００〜４０００ｍｍである。
３の止め具はプッシュ、プルの操作によってロープが止め具をスライドし、容易に適正な位置で係止が可能なものが好ましく、プラスチック性、金属性のどちらでも良く、耐久性の高いものが好ましい。例えばワンタッチスライダー（太陽工業株式会社製）はこの機能を有するものの例である。
４ａ、４ｂは荷崩れ防止ネットのネット部で、材質はナイロン、ポリエステル、アクリル繊維、ポリプロピレン等で２．５ｍｍ〜３．５ｍｍの太さのロープを使用して網にしたもので、丈夫で適度の滑り性を保有するものが好ましい態様である。【００１０】図３はパレット積載物の最上部に本考案の荷崩れ防止ネットを掛け、積載物の荷崩れ防止ネット固定用金属ロープ１で積載物をパレットに固定し、ネット調節用ロープ２ａ、２ｂで荷崩れ防止ネット上部４ａを積載物にフィットしネット調節用ロープ止め具３でロープを係止した積載状態図である。例えば小さな段ボール箱、サイズの異なる段ボール箱や不定型な物をパレットで運搬する時や近距離を運搬するときは積載物を固定するための経費と時間が不経済であったが、本考案の積載物の荷崩れ防止ネットを用いて積載物を簡便で安全に固定できる。
【産業上の利用可能性】
【００１１】パレットに荷物を積載し運搬する運搬作業者及び輸送業界で、パレットへの荷物、例えば小さな段ボール箱、大きさの異なる段ボール箱や不定型な物等を数段に重ねて積載し、該積載物を作業者一人で固定する場合において、従来利用していたストレッチフィルムに代わって本考案の積載物の荷崩れ防止ネットが利用できる。
【図面の簡単な説明】
【００１２】
【図１】積載物の荷崩れ防止ネットの立面図である。
【図２】積載物の荷崩れ防止ネットの調節用ロープを引いた状態の見取り図である。
【図３】パレット積載物に荷崩れ防止ネットを被せ、金属ロープでパレットに固定し、ネット調節用ロープでネットと積載物をフィットさせ積載物を固定した見取り図である。
【符号の説明】
【００１３】    １                      ：荷崩れ防止ネット固定用金属ロープ
２ａ、２ｂ              ：ネット調節用ロープ
２ｃ、２ｄ、２ｅ、２ｆ  ：ネット中心とネット四隅の各中間点
３                      ：ネット調節用ロープ止め具
４ａ                    ：荷崩れ防止ネット上部
４ｂ                    ：荷崩れ防止ネット下部
４ｃ、４ｄ、４ｅ、４ｆ  ：荷崩れ防止ネット四隅
５                      ：荷崩れ防止ネット中心点
６                      ：パレット
【図１】
0003135124.tif 000003
【図２】
0003135124.tif 000004
【図３】
0003135124.tif 000005